(57)【要約】【課題】電池などの電源を内蔵する必要がなく、コストダウンを図った傾斜検出装置及び当該傾斜検出装置からの検出結果を読み取る読取端末を提供する。【解決手段】傾斜検出装置１００の検出結果を読み取る読取端末２００側に傾斜センサ１０１及び制御回路１０２用の検出装置用駆動電源２０１を設け、読取端末２００が第３外部端子Ｔ３、第２外部端子Ｔ２を介し駆動電源を入力し、第１外部端子Ｔ１、第４外部端子Ｔ４を介して検出結果を読み取れば、電池などの電源を内蔵しなくてもコン柱の傾斜を検出することができる。【選択図】図２
2006170747.tif 000002
【特許請求の範囲】
【請求項１】
柱に取り付けられる傾斜検出装置であって、
前記柱の傾斜を検出する傾斜検出手段と、
該傾斜検出手段からの検出結果を出力するための第１外部端子と、
前記傾斜検出手段に対する駆動電源を入力するための第２外部端子とを備えたことを特徴とする傾斜検出装置。
【請求項２】
請求項１記載の傾斜検出装置であって、
前記傾斜検出手段を収容する検出側筐体と、
該検出側筐体から引き出され、先端に前記第１及び第２外部端子が設けられた電線とをさらに備えたことを特徴とする傾斜検出装置。
【請求項３】
柱に取り付けられ当該柱の傾斜を検出する傾斜検出装置からの検出結果を読み取る読取手段を備えた読取端末であって、
駆動電源と、
該駆動電源を出力するための第３外部端子と、
前記傾斜検出装置からの検出結果を入力するための第４外部端子とを備え、
前記読取手段は、前記第４外部端子を介して前記検出結果を読み取ることを特徴とする読取端末。
【発明の詳細な説明】
【技術分野】
【０００１】
本発明は、傾斜検出装置及び読取端末に係わり、特に、柱に取り付けられ、柱の傾斜を検出する傾斜検出装置及び該傾斜検出装置からの検出結果を読み取る読取端末に関するものである。
【背景技術】
【０００２】
電力を配線するために、コン柱（コンクリート製の電柱）が用いられている。このコン柱によって、トランス等の配電機材の他に、高圧ケーブル、低圧ケーブル、通信線等のケーブルが保持されている。ケーブル等の張力は布設時に管理され、最適なバランスが保たれるように工事されているはずである。しかしながら、新設の工事あるいはケーブル交換、回線変更の工事の際に適切なケーブル張力、バランスが保たれない場合がある。この状態で長期間使用を続けているとコン柱に歪みが生じ、コンクリートの亀裂、内部鉄筋の破断が発生し、最悪の場合、倒壊事故が発生する。
【０００３】
このため、定期的に目視によりコン柱の傾斜度合、コン柱表面の亀裂度合を確認している。しかしながら、コン柱の本数は膨大であり管理に手間がかかる。また、基本的な点検は目視による確認であるため、結果に曖昧な部分が生じてしまう。
【０００４】
そこで、コン柱をカメラで撮像し、撮像した画像をデータ処理してコン柱の湾曲度合を測定する装置が提案されている（特許文献１）。しかしながら、コン柱の設置場所によっては、撮像方向、撮像角度に制限が生じ、湾曲度合を測定することができないという問題が生じる。
【０００５】
また、コン柱毎にその頂上に傾斜検知部を取り付け、識別表示部を使ってコン柱の下で傾斜検知部の検知結果を無線で受信するものが提案されている（特許文献２）。しかしながら、無線による検知結果の送信ではコスト的に高価になるという問題がある。また、コン柱に取り付ける傾斜検知部内に電池が必要となる。このため、電池交換などの電池管理もしなければならず管理コストが高くなるという問題がある。また、特許文献２では電池交換不要の太陽電池を用いているが、コン柱ひとつひとつに高価な太陽電池を設置する場合もコスト面に問題が生じる。
【特許文献１】特開平６−９４４４２号公報
【特許文献２】特開２００４−１４７３７４公報
【発明の開示】
【発明が解決しようとする課題】
【０００６】
そこで、本発明は、上記のような問題点に着目し、電池などの電源を内蔵する必要がなく、コストダウンを図った傾斜検出装置及び当該傾斜検出装置からの検出結果を読み取る読取端末を提供することを課題とする。
【課題を解決するための手段】
【０００７】
上記課題を解決するためになされた請求項１記載の発明は、柱に取り付けられる傾斜検出装置であって、前記柱の傾斜を検出する傾斜検出手段と、該傾斜検出手段からの検出結果を出力するための第１外部端子と、前記傾斜検出手段に対する駆動電源を入力するための第２外部端子とを備えたことを特徴とする傾斜検出装置に存する。
【０００８】
請求項１記載の発明によれば、傾斜検出手段が柱の傾斜を検出する。第２外部端子から傾斜検出手段に対する駆動電源が入力される。第１外部端子から傾斜検出手段の検出結果を出力する。従って、傾斜検出装置の検出結果を読み取る読取端末側に傾斜検出手段用の駆動電源を設け、読取端末が第２外部端子を介し駆動電源を入力し、第１外部端子を介して検出結果を読み取れば、電池などの電源を内蔵しなくても柱の傾斜を検出することができる。
【０００９】
請求項２記載の発明は、請求項１記載の傾斜検出装置であって、前記傾斜検出手段を収容する検出側筐体と、該検出側筐体から引き出され、先端に前記第１及び第２外部端子が設けられた電線とをさらに備えたことを特徴とする傾斜検出装置に存する。
【００１０】
請求項２記載の発明によれば、第１及び第２外部端子は検出側筐体から導出された電線の先端に設けられている。従って、検出側筐体から鉛直下向きに電線を導出させて柱に取り付ければ、第１及び第２外部端子に対する読取端末の接続を検出側筐体の設置位置まで登って行わなくてよく、検出側筐体より下側で行える。
【００１１】
請求項３記載の発明は、柱に取り付けられ当該柱の傾斜を検出する傾斜検出装置からの検出結果を読み取る読取手段を備えた読取端末であって、駆動電源と、該駆動電源を出力するための第３外部端子と、前記傾斜検出装置からの検出結果を入力するための第４外部端子とを備え、前記読取手段は、前記第４外部端子を介して前記検出結果を読み取ることを特徴とする読取端末に存する。
【００１２】
請求項３記載の発明によれば、第３外部端子から駆動電源を出力する。読取手段は、第４外部端子を介して検出結果を読み取る。従って、第３及び第４外部端子を柱に取り付けられた傾斜検出装置に接続すれば、電池などの電源を傾斜検出装置側に内蔵しなくても柱の傾斜を検出することができる。
【発明の効果】
【００１３】
以上説明したように請求項１記載の発明によれば、傾斜検出装置の検出結果を読み取る読取端末側に傾斜検出手段用の駆動電源を設け、読取端末が第２外部端子を介し駆動電源を入力し、第１外部端子を介して検出結果を読み取れば、電池などの電源を内蔵しなくても柱の傾斜を検出することができるので、コストダウンを図った傾斜検出装置を得ることができる。
【００１４】
請求項２記載の発明によれば、検出側筐体から鉛直下向きに電線を導出させて柱に取り付ければ、第１及び第２外部端子に対する読取端末の接続を検出側筐体の設置位置まで登って行わなくてよく、検出側筐体より下側で行えるので、容易に読取端末を用いた傾斜検出結果を読み取ることができる傾斜検出装置を得ることができる。
【００１５】
請求項３記載の発明によれば、第３及び第４外部端子を柱に取り付けられた傾斜検出装置に接続すれば、電池などの電源を傾斜検出装置側に内蔵しなくても柱の傾斜を検出することができるので、コストダウンを図った傾斜検出装置を得ることができる。
【発明を実施するための最良の形態】
【００１６】
本発明の傾斜検出装置及び読取端末について図面を参照して説明する。図１は本発明の傾斜検出装置及び読取端末の使用例について説明するための図である。同図に示すように、傾斜検出装置１００はコン柱Ｐ（柱）に取り付けられている。コン柱管理者Ｍは必要に応じて読取端末２００を傾斜検出装置１００に接続して、傾斜検出装置１００が検出した傾斜検出結果を読み取る。
【００１７】
図２は図１に示す傾斜検出装置及び読取端末の電気構成図である。同図に示すように、傾斜検出装置１００は、コン柱Ｐの傾斜を検出して、検出した傾斜に応じた例えばアナログの傾斜信号Ｓ１を出力する傾斜センサ１０１と、傾斜センサ１０１から出力される傾斜信号Ｓ１をＡ／Ｄ変換して出力する制御回路１０２とを備えている。このことから明らかなように、傾斜センサ１０１及び制御回路１０２が請求項中の傾斜検出手段に相当する。制御回路１０２から出力される傾斜信号Ｓ１は、情報ラインＬ１１を介して第１外部端子Ｔ１に供給される。
【００１８】
また、上述した傾斜センサ１０１及び制御回路１０２の電源ラインＬ１２は第２外部端子Ｔ２に接続される。上述した情報ラインＬ１１及び電源ラインＬ１２は、傾斜センサ１０１及び制御回路１０２を収容する検出側筐体１０３から電線Ｌｅとして引き出され、その先端に第１及び第２外部端子Ｔ１及びＴ２が設けられている。また、第１及び第２外部端子Ｔ１及びＴ２は同一のコネクタＣ１に設けられている。
【００１９】
上述した傾斜検出装置１００は、図１に示すように、その検出側筐体１０３をコン柱Ｐの頂上に取り付ける。さらに、電線Ｌｅが鉛直下向きに引き出されるように取り付ける。これにより、コネクタＣ１がコン柱Ｐ頂上に取り付けられた検出側筐体１０３の下側にぶら下がった状態となっている。また、検出側筐体１０３及び電線Ｌｅのコン柱Ｐへの固定は金属バンド等の専用治具を行い、確実に固定されるものとする。
【００２０】
また、読取端末２００は、傾斜センサ１０１及び制御回路１０２に対して電源を供給するための検出装置用駆動電源２０１（＝駆動電源）と、この検出装置用駆動電源２０１と電源ラインＬ２１を介して接続され、駆動電源を出力するための第３外部端子Ｔ３とを備えている。さらに、読取端末２００は、傾斜検出装置１００からの傾斜信号Ｓ１を入力するための第４外部端子Ｔ４と、この第４外部端子Ｔ４と情報ラインＬ２２を介して接続された制御回路２０２を備えている。上述した第３及び第４外部端子Ｔ３及びＴ４はコネクタＣ１をコネクタ接続するコネクタＣ２に設けられている。
【００２１】
制御回路２０２は第４外部端子Ｔ４を介して傾斜検出装置１００が出力する傾斜信号Ｓ１を読み取り、メモリ２０３に格納する。制御回路２０２及びメモリ２０３に対する電源は電源ラインＬ２３を介して端末用駆動電源２０４から供給される。
【００２２】
上述した構成の傾斜検出装置１００及び読取端末２００の使用方法及び動作について以下説明する。先ず、図１に示すように、コン柱管理者ＭはコネクタＣ１が設置されている場所までコン柱に登り、傾斜検出装置１０３のコネクタＣ１と読取端末２００のコネクタＣ２とをコネクタ接続する。このコネクタ接続により、第１外部端子Ｔ１と第４外部端子Ｔ４とが、第２外部端子Ｔ２と第３外部端子Ｔ３とが各々電気的に接続される。
【００２３】
この接続に応じて、検出装置用駆動電源２０１からの電源が電源ラインＬ２１及びＬ１２を介して傾斜センサ１０１及び制御回路１０２に対して供給される。この電源供給に応じて、傾斜センサ１０１はコン柱Ｐの傾斜に応じた傾斜信号Ｓ１を制御回路１０２に対して出力する。また、電源供給に応じて制御回路１０２は傾斜センサ１０１から出力された傾斜信号Ｓ１をＡ／Ｄ変換して出力すると共に、取り付けられているコン柱Ｐの識別情報（例えばアドレス）を出力する。
【００２４】
一方、読取端末２００内の制御回路２０２は、制御回路２０１から情報ラインＬ１１、第１外部端末Ｔ１、第４外部端末Ｔ４及び情報ラインＬ２２を介して供給された傾斜信号Ｓ１及びコン柱Ｐの識別情報を読み取り、検出日時と共にメモリ２０３内に格納する。
【００２５】
上述したように、読取端末２００側に傾斜センサ１０１及び制御回路１０２の駆動電源２０１を設け、読取端末２００が第２外部端子Ｔ２を介し駆動電源を入力し、第１外部端子Ｔ１を介して検出結果を読み取れば、電池などの電源を内蔵しなくても柱の傾斜を検出することができ、コストダウンを図ることができる。
【００２６】
また、検出側筐体１０３から鉛直下向きに電線Ｌｅを導出させてコン柱Ｐに取り付ければ、コネクタＣ１に対する読取端末２００の接続を検出側筐体１０３の設置位置であるコン柱Ｐ頂上まで登って行わなくてよく、検出側筐体１０３より下側で行えるため、容易に読取端末２００を用いた傾斜信号Ｓ１の読み取りを行うことができる。
【００２７】
読み取り終了後、コン柱管理者Ｍは、読取端末２００を持ち帰り、メモリ２０３に記憶された傾斜信号Ｓ１、識別情報及び検出日時などのデータをパーソナルコンピュータ（パソコン）に移動させる。パソコンでは専用の管理ソフトを用いて処理が行え、検出結果の表示、経時変化などの傾向管理ができるものとする。
【００２８】
また、パソコンには、傾斜検出装置１００の設置時にコン柱Ｐの最下部で傾斜を仮測定した値Ａがコン柱Ｐ毎に記憶されている。パソコンは、読取端末２００からのデータ移動に応じて、上記値Ａを基準とし、読取端末２００で読み取った傾斜信号Ｓ１が示す傾斜角度Ｂとの差分（Ａ−Ｂ）をコン柱Ｐの曲がり値として移動されたデータと共に管理する。
【００２９】
また、管理ソフトの応用例として、例えば、地図データとリンクして、判断基準に従って柱意箇所の位置情報を表示したり、運用方針に従って、点検計画の自動作成をしたり、コン柱の補修、新設情報も同時に管理したりすることが考えられる。
【図面の簡単な説明】
【００３０】
【図１】本発明の傾斜検出装置及び読取端末の使用例について説明するための図である。
【図２】図１に示す傾斜検出装置及び読取端末の電気構成図である。
【符号の説明】
【００３１】
１００  傾斜検出装置
１０１  傾斜センサ（傾斜検出手段）
１０２  制御回路（傾斜検出手段）
１０３  筐体（検出側筐体）
２００  読取端末
２０１  検出装置用駆動電源（駆動電源）
Ｔ１    第１外部端子
Ｔ２    第２外部端子
Ｔ３    第３外部端子
Ｔ４    第４外部端子
Ｌｅ    電線
Ｐ      コン柱（柱）
【図１】
2006170747.tif 000003
【図２】
2006170747.tif 000004